(57)【要約】【課題】筺体に対するドライブ装置の着脱口の位置を容易に変更することができると共に、ドライブ装置が筺体から突出するなどして美観を損ねることがないドライブ装置の搭載機構及び表示装置を提供する。【解決手段】ドライブ装置３の着脱面３１が筺体１の第１側面１１に露出する位置と、第２側面１２に露出する位置との間で、ドライブ装置３を回動可能に支持することによって、ユーザはドライブ装置３に対する回動操作のみで着脱面３１の位置を変更することができる構成とする。また、ドライブ装置３の着脱面３１から回動の中心までの距離を、第１側面１１及び第２側面１２から回動の中心までの距離Ｂに等しくする。更に、ドライブ装置３の着脱面３１から回動の中心までを距離Ｂとするとよい。これにより、ドライブ装置３が筺体１の第１側面１１又は第２側面１２から突出又は没入した状態となることがない。【選択図】図８
2009295249.tif 000002
【特許請求の範囲】
【請求項１】
記録媒体を着脱する着脱口が設けられた着脱面を含む複数の面を有するドライブ装置を、複数の面を有する筺体内に搭載するドライブ装置の搭載機構において、
前記筺体の一の面に前記着脱面が露出する位置、及び、前記筺体の他の面に前記着脱面が露出する位置の間で回動するように、前記ドライブ装置を支持する回動支持部を備え、
前記回動支持部による前記ドライブ装置の回動の中心は、前記一の面及び他の面から等しい距離に設けてあること
を特徴とするドライブ装置の搭載機構。
【請求項２】
記録媒体を着脱する着脱口が設けられた着脱面を含む複数の面を有するドライブ装置と、表示部が設けられた表示面を含む複数の面を有する筺体とを備え、前記ドライブ装置を前記筺体内に搭載した表示装置において、
前記筺体の一の面に前記着脱面が露出する位置、及び、前記筺体の他の面に前記着脱面が露出する位置の間で回動するように、前記ドライブ装置を支持する回動支持部を備え、
前記回動支持部による前記ドライブ装置の回動の中心は、前記一の面及び他の面から等しい距離に設けてあること
を特徴とする表示装置。
【請求項３】
前記回動支持部は、前記着脱面から回動の中心までの距離が、前記一の面及び他の面から回動の中心までの距離と等しい位置にて、前記ドライブ装置を支持するようにしてあること
を特徴とする請求項２に記載の表示装置。
【請求項４】
前記筺体が有する複数の面には、前記表示面の反対面を含み、
前記一の面、前記他の面及び前記反対面に亘って、前記筺体には前記ドライブ装置を露出させる開口が形成してあり、
前記筺体に着脱可能であり、前記一の面、前記他の面及び前記反対面に露出する前記ドライブ装置の前記着脱面以外の面を覆い隠すカバー部材を更に備えること
を特徴とする請求項２又は請求項３に記載の表示装置。
【請求項５】
前記カバー部材は、
前記ドライブ装置の位置が前記着脱面が前記筺体の一の面に露出する位置の場合、前記他の面及び前記反対面に露出する前記ドライブ装置を覆い隠し、
前記ドライブ装置の位置が前記着脱面が前記筺体の他の面に露出する位置の場合、前記一の面及び前記反対面に露出する前記ドライブ装置を覆い隠すように、
前記筺体に着脱可能にしてあること
を特徴とする請求項４に記載の表示装置。
【請求項６】
前記ドライブ装置の回動を係止する係止部と、
該係止部による係止を解除する解除操作部と
を更に備えること
を特徴とする請求項２から請求項５までのいずれか１つに記載の表示装置。
【請求項７】
前記ドライブ装置には凹部が形成してあり、
前記係止部は、
前記凹部に係合する凸部と、
該凸部を前記凹部へ付勢する板ばねと
を有し、
前記解除操作部は、操作に伴って前記板ばねを付勢に抗して変形させ、前記凹部及び凸部の係合を解除するようにしてあること
を特徴とする請求項６に記載の表示装置。
【請求項８】
前記回動支持部は、
前記筺体に対して不動に固定された軸部材と、
前記ドライブ装置に不動に固定され、前記軸部に回動可能に嵌合された筒部材と、
前記軸部材の軸方向の両側へ前記筒部材をそれぞれ付勢する第１付勢部材及び第２付勢部材と
を有すること
を特徴とする請求項２から請求項７までのいずれか１つに記載の表示装置。
【請求項９】
前記表示部の表示方向に関して、前記筺体を上下逆に支持することができる支持部材を更に備えること
を特徴とする請求項２から請求項８までのいずれか１つに記載の表示装置。
【発明の詳細な説明】
【技術分野】
【０００１】
本発明は、例えば光ディスクなどの記録媒体に対するデータの記録及び読出を行うドライブ装置を筺体内に搭載するためのドライブ装置の搭載機構、及びドライブ装置を内蔵した表示装置に関する。
【背景技術】
【０００２】
従来、液晶表示装置及びプラズマ表示装置等の大型且つ薄型の表示装置が普及している。また、記録媒体としてＤＶＤ（Digital Versatile Disk）及びブルーレイディスク等の光ディスクが広く用いられ、これらの記録媒体に対するデータの記録及び読出を行うドライブ装置が普及している。これらの光ディスクは大容量のデータを記録することができるため、表示装置にて視聴する映像及び音声等のデータの記録に適している。従来では、ドライブ装置を備えたＤＶＤレコーダなどの記録再生装置がケーブルなどを介して表示装置に接続され、光ディスクに記録された映像を表示装置に表示する構成が多い。
【０００３】
近年では、表示装置の内部にドライブ装置を搭載する構成のものもあり、これにより利便性の向上及び設置スペースの削減等が実現できる。この構成の場合、表示装置が薄型の筺体であり、筺体の幅が光ディスクの径より小さいことから、光ディスクをドライブ装置に着脱するための着脱口（光ディスクを開口に挿入する構成ではこの開口、光ディスクを載置するトレイが出入する構成ではトレイの出入口など）は、表示装置の筺体の側面（周面）に設けられる場合が多い。このため、表示装置の設置場所又は表示装置を載置する載置台の構造等によっては、部屋の壁又は載置台の一部分等が障害となり、ドライブ装置に対する光ディスクの着脱をユーザが行い難いという問題があった。
【０００４】
特許文献１においては、データ処理装置の装置本体に対するディスクドライブ装置の挿入方向を前方向又は横方向の２方向に変更することができるデータ処理装置の構造が提案されている。この構造においては、ディスクドライブ装置の一方の面に枢軸を設けると共に、ディスクドライブ装置を装着するデータ処理装置の装置本体にはディスクドライブ装置の枢軸を案内するガイドを設ける。このガイドは略くの字状に屈曲して形成してあり、ディスクドライブ装置をガイドに沿って移動及び回動させることによって、ディスクドライブ装置の挿入方向を変更することができる。
【０００５】
このデータ処理装置の構造を表示装置に適用することによって、ドライブ装置に対する光ディスクの挿入方向を変更可能な構成とすることができる。これによりユーザは、表示装置の設置場所又は載置台の構造等に応じて、光ディスクの挿入方向が適した向きとなるように、ドライブ装置の方向を変更することができるため、上述の問題を改善することができる。
【特許文献１】特開平７−１７６１７９号公報
【発明の開示】
【発明が解決しようとする課題】
【０００６】
しかしながら、特許文献１に記載のデータ処理装置の構造においては、ドライブ装置の挿入方向を２方向に変更することができるが、挿入方向の一方ではドライブ装置がデータ処理装置の筺体から突出する構成である。ノートパソコンなどの可搬型のデータ処理装置では、ドライブ装置を使用する場合にユーザが挿入方向を変更すればよいため、特許文献１の構造でよい。しかし、大型の表示装置など非可搬型の装置においては、装置設置時などにドライブ装置の挿入方向を決定した後は、挿入方向の変更を行う機会は少ないため、ドライブ装置が表示装置の筺体から突出した状態のまま使用される可能性が高い。よって、表示装置の筺体から突出したドライブ装置が表示装置の美観を損ねるという問題がある。
【０００７】
また、特許文献１の構造の場合、ドライブ装置の方向を変更するためには、屈曲したガイドに沿ってドライブ装置を２段階にスライドして移動させる必要があり、更にドライブ装置を回動させる必要がある。よって、ユーザは方向が異なるスライド操作と回動操作とを適切に行わなければドライブ装置の方向を変更することができず、不慣れなユーザにとっては作業が難しいという問題がある。
【０００８】
本発明は、斯かる事情に鑑みてなされたものであって、その目的とするところは、ドライブ装置が筺体から突出するなどして美観を損ねることがなく、筺体に対するドライブ装置の着脱口の位置（方向）をユーザが簡単な操作で変更することができるドライブ装置の搭載機構及び表示装置を提供することにある。
【課題を解決するための手段】
【０００９】
本発明に係るドライブ装置の搭載機構は、記録媒体を着脱する着脱口が設けられた着脱面を含む複数の面を有するドライブ装置を、複数の面を有する筺体内に搭載するドライブ装置の搭載機構において、前記筺体の一の面に前記着脱面が露出する位置、及び、前記筺体の他の面に前記着脱面が露出する位置の間で回動するように、前記ドライブ装置を支持する回動支持部を備え、前記回動支持部による前記ドライブ装置の回動の中心は、前記一の面及び他の面から等しい距離に設けてあることを特徴とする。
【００１０】
また、本発明に係る表示装置は、記録媒体を着脱する着脱口が設けられた着脱面を含む複数の面を有するドライブ装置と、表示部が設けられた表示面を含む複数の面を有する筺体とを備え、前記ドライブ装置を前記筺体内に搭載した表示装置において、前記筺体の一の面に前記着脱面が露出する位置、及び、前記筺体の他の面に前記着脱面が露出する位置の間で回動するように、前記ドライブ装置を支持する回動支持部を備え、前記回動支持部による前記ドライブ装置の回動の中心は、前記一の面及び他の面から等しい距離に設けてあることを特徴とする。
【００１１】
また、本発明に係る表示装置は、前記回動支持部が、前記着脱面から回動の中心までの距離が、前記一の面及び他の面から回動の中心までの距離と等しい位置にて、前記ドライブ装置を支持するようにしてあることを特徴とする。
【００１２】
また、本発明に係る表示装置は、前記筺体が有する複数の面には、前記表示面の反対面を含み、前記一の面、前記他の面及び前記反対面に亘って、前記筺体には前記ドライブ装置を露出させる開口が形成してあり、前記筺体に着脱可能であり、前記一の面、前記他の面及び前記反対面に露出する前記ドライブ装置の前記着脱面以外の面を覆い隠すカバー部材を更に備えることを特徴とする。
【００１３】
また、本発明に係る表示装置は、前記カバー部材が、前記ドライブ装置の位置が前記着脱面が前記筺体の一の面に露出する位置の場合、前記他の面及び前記反対面に露出する前記ドライブ装置を覆い隠し、前記ドライブ装置の位置が前記着脱面が前記筺体の他の面に露出する位置の場合、前記一の面及び前記反対面に露出する前記ドライブ装置を覆い隠すように、前記筺体に着脱可能にしてあることを特徴とする。
【００１４】
また、本発明に係る表示装置は、前記ドライブ装置の回動を係止する係止部と、該係止部による係止を解除する解除操作部とを更に備えることを特徴とする。
【００１５】
また、本発明に係る表示装置は、前記ドライブ装置には凹部が形成してあり、前記係止部は、前記凹部に係合する凸部と、該凸部を前記凹部へ付勢する板ばねとを有し、前記解除操作部は、操作に伴って前記板ばねを付勢に抗して変形させ、前記凹部及び凸部の係合を解除するようにしてあることを特徴とする。
【００１６】
また、本発明に係る表示装置は、前記回動支持部が、前記筺体に対して不動に固定された軸部材と、前記ドライブ装置に不動に固定され、前記軸部に回動可能に嵌合された筒部材と、前記軸部材の軸方向の両側へ前記筒部材をそれぞれ付勢する第１付勢部材及び第２付勢部材とを有することを特徴とする。
【００１７】
また、本発明に係る表示装置は、前記表示部の表示方向に関して、前記筺体を上下逆に支持することができる支持部材を更に備えることを特徴とする。
【００１８】
本発明においては、表示装置などの筺体内に、ドライブ装置を回動可能に支持して搭載する。ドライブ装置の回動は、記録媒体の着脱面が筺体の一の面の露出する位置と他の面に露出する位置との間で行う構成とする。これにより、記録媒体の着脱面の位置を、ドライブ装置を回動させることによって、筺体の一の面又は他の面のいずれかに変更することができる。ユーザは、ドライブ装置の回動操作のみ行えばよいため、着脱面の位置変更が容易である。直方体形をなす表示装置の筺体内にドライブ装置を搭載する構成の場合、ドライブ装置の着脱面を露出させる一の面及び他の面は、表示部が設けられる筺体の表示面に隣り合う２つの面（即ち、表示装置の２つの側面）とすることが好適である。
また、ドライブ装置の回動の中心を、筺体の一の面及び他の面からそれぞれ等しい位置に設ける。これにより、着脱面が一の面に露出する場合の一の面及び着脱面の位置関係（着脱面が一の面より突出するか又は埋没するか）と、着脱面が他の面に露出する場合の他の面及び着脱面の位置関係とを略等しくすることができる。よって、一の面及び他の面に対してドライブ装置が突出しないように、筺体内にてドライブ装置を回動可能に支持することが容易である。
【００１９】
また本発明においては、ドライブ装置の着脱面から回動支持部による回動の中心までの距離を、一の面及び他の面から回動の中心までの距離に等しくする。これにより、一の面に着脱面が露出する位置又は他の面に着脱する位置のいずれにドライブ装置を回動した場合であっても、着脱面とこれが露出する一の面又は他の面とを連続する面とすることができる。よって、ドライブ装置の着脱面が露出する面の美観を高めることができる。
【００２０】
また本発明においては、筺体の一の面及び他の面と、表示面の反対面との３つの面に亘って、ドライブ装置を露出させる開口を形成する。開口における一の面及び他の面の部分からはドライブ装置の着脱面を露出させることができる。開口における筺体の表示面の反対面の部分からドライブ装置を露出させることによって、ドライブ装置の回動を手動で容易に行うことができる。
また、筺体の開口を覆い隠すカバー部材を備える構成とすることによって、ドライブ装置を適切な位置に回動させた後、カバー部材で筺体の開口を覆い隠すことができ、開口からドライブ装置が露出することによる美観の低下を防止でき、開口から筺体内に塵埃などが侵入することを防止できる。
【００２１】
カバー部材は、着脱面が筺体の一の面に露出する位置にドライブ装置が回動された場合、筺体の他の面及び反対面に露出するドライブ装置を覆い隠すように、筺体に装着できる構成とする。更にカバー部材は、着脱面が筺体の他の面に露出する位置にドライブ装置が回動された場合、筺体の一の面及び反対面に露出するドライブ装置を覆い隠すように、筺体に装着できる構成とする。即ち、カバー部材はドライブ装置の回動位置に応じて装着位置を変化させることができ、筺体の開口から露出するドライブ装置の着脱面以外を覆い隠すことができる構成とする。これにより、ドライブ装置がいずれの位置に回動された場合であっても、同一のカバー部材を筺体に装着して開口から露出するドライブ装置を覆い隠すことができる。
【００２２】
また本発明においては、筺体内に回動可能に支持されたドライブ装置を、回動不可能に係止する係止部を設ける。これにより、ドライブ装置が不要に回動することを防止できる。例えばドライブ装置に凹部を形成し、この凹部に係合する凸部を板ばねに設け、板ばねにより凸部を凹部へ付勢して係合させる構成とすることによって、ドライブ装置の回動を係止することができる。
また、ドライブ装置を回動させる必要がある場合には、係止部による係止を解除しなければならないため、ユーザが解除操作を行うための解除操作部を設ける。これにより、ユーザはドライブ装置の回動を容易に行うことができる。上記のように例えば凹部、凸部及び板ばねを用いて係止部を構成した場合、解除操作部は操作に伴って板ばねを変形させることにより凹部及び凸部の係合を解除する構成とすることができる。
【００２３】
また本発明においては、筺体に対して不動に固定された軸部材と、ドライブ装置に不動に固定されて軸部材に嵌合する筒部材とにより、ドライブ装置を筺体に対して支持する構成とする。軸部材に筒部材を嵌合させる構成とすることにより、軸部材を中心に筒部材を回動させることができ、筒部材が固定されるドライブ装置を回動させることができる。
また、筒部材を軸部材の軸方向の一方側へ第１付勢部材により付勢し、軸方向の他方側へ第２付勢部材が付勢する。これにより、筒部材は軸方向の両方向から付勢部材により付勢されるため、筒部材が軸部材から外れるなどの虞がなく、ユーザはディスク装置の回動を行いやすく、また、軸方向に関する振動及び衝撃等が付勢部材により吸収される。
【００２４】
また本発明においては、支持部材により筺体を上下逆に支持することができる構成とする。上述の構成により、ドライブ装置を回動させることによって筺体の一の面及び他の面の２方向にドライブ装置の着脱面を設けることができるが、更に筺体を上下逆にすることによって４方向に着脱面を設けることができる。例えば表示装置においては、ドライブ装置を回動させることによって筺体の上側面又は右側面のいずれかに着脱面を設けることができる場合に、筺体を上下逆にすることにより筺体の左側面又は下側面に着脱面を設けることができる。
【発明の効果】
【００２５】
本発明による場合は、表示装置などの筺体に、着脱面が筺体の一の面又は他の面の露出する２つの位置の間で回動可能にドライブ装置を支持すると共に、回動の中心を一の面及び他の面から等しい位置とすることにより、ドライブ装置をいずれの位置に回動した場合であっても、一の面及び他の面から突出しないようにドライブ装置を筺体内に回動可能に支持する構成とすることが容易である。よって、このドライブ装置及び筺体を有する表示装置などは、美観を損なうことなく、設置環境に応じてドライブ装置の着脱面の位置をユーザが容易に変更することができるため、優れた美観及び高い利便性を得ることができる。また、表示装置などを製造する製造者は、ユーザの要望に応じてドライブ装置の搭載位置が異なる複数種のものを製造する必要がないため、生産性を高めることができる。
【発明を実施するための最良の形態】
【００２６】
以下、本発明をその実施の形態を示す図面に基づき具体的に説明する。図１及び図２は、本発明に係る表示装置の構成を示す正面斜視図である。図３は、本発明に係る表示装置の構成を示す背面斜視図である。図において１は、表示装置の筺体であり、扁平な略直方体形をなしている。即ち、表示装置の筺体１は、液晶パネルなどにより映像を表示する表示部１０ａが設けられた略長方形の表示面１０と、この表示面の四辺に隣り合う略長方形の第１側面１１〜第４側面１４の４つの側面と、表示面１０の反対面である背面１５とを有している。なお、図１及び図２においては、表示装置の表示面１０に向かって、第１側面１１が上側の側面であり、第２側面１２が右側の側面であり、第３側面１３が下側の側面であり、第４側面１４が左側の側面である。表示装置はスタンド２を備えており、筺体１は、例えば室内の床上、机上又はテレビ台等に、表示面１０ａを正面にしてスタンド２に支持されて設置される。
【００２７】
また表示装置は、ＤＶＤ及びブルーレイディスク等の光ディスク１００に対するデータの読み出し及び書き込み等を行うドライブ装置３を備えている。ドライブ装置３は、略直方体形をなしており、光ディスク１００を着脱するための着脱口３１ａが設けられた着脱面３１のみが筺体の側面に露出する態様で、筺体１内に搭載されている。ユーザは光ディスク１００を着脱面３１の着脱口３１ａに挿入することでドライブ装置３に光ディスク１００を装着することができ、光ディスク１００に記録された映像を表示部１０ａに表示させることができる。また着脱面３１には、ドライブ装置３内に装着された光ディスク１００を取り出すためのエジェクトボタンなどが設けられている。
【００２８】
本発明に係る表示装置は、筺体１に搭載されたドライブ装置３の着脱面３１の位置を変更することができる。例えば図１及び図２に示す表示装置は、筺体１の第１側面１１の角近傍にドライブ装置３の着脱面３１が露出する位置（図１参照）と、第２側面１２の角近傍に着脱面３１が露出する位置（図２参照）とのいずれかの位置に、着脱面３１の位置を変更することができる構成である。なお、位置変更はユーザの手作業で行われる。表示装置は、筺体１の一部をなすと共に、筺体１に着脱可能に設けられたカバー４０を備えている。カバー４０は、筺体１に装着された場合に、筺体１内に搭載されたドライブ装置３の着脱面３１以外の部分を覆い隠すことができる。また、ユーザは、カバー４０を筺体１から抜脱し、筺体１内のドライブ装置３を回動させることにより、着脱面３１の位置変更を行うことができる。
【００２９】
スタンド２は、矩形の板状をなすベース部２１と、このベース部２１に立設された支柱部２２とを備えて構成されている。支柱部２２の上端部には、上下に長いスリット２２ａが形成され、筺体１の背面１５の略中央には、ねじ２３にそれぞれ螺合する２つのねじ穴１６が上下に並べて形成されている。スリット２２ａは、ねじ２３の軸部分が挿通可能、かつ、頭部分が挿通不可能な幅に形成されている。これにより、２つのねじ２３を、支柱部２２のスリット２２ａを通して、筺体１のねじ穴１６にそれぞれ螺合させることによって、筺体１がスタンド２に固定されて支持される。
【００３０】
また、表示装置の筺体１の背面１５には、電力供給のための電源コード１７が接続されている。スタンド２の支柱部２２には、正面から背面へ貫通する貫通孔２２ｂが形成されており、筺体１がスタンド２に固定された場合に、筺体１の背面の電源コード１７を、貫通孔２２ｂを挿通して支柱部２２の正面から背面へ配することができるようにしてある。
【００３１】
本発明に係る表示装置は、スタンド２による筺体１の支持を上下に関して逆方向に変更することができる。即ち、スタンド２に対して筺体１を上下反転して固定することができる。筺体１を上下反転させる場合、ユーザは２つのねじ２３を筺体１から外し、筺体１を上下逆にし、スタンド２の支柱部２２のスリット２２ａを通してねじ２３を筺体１のねじ穴１６に螺合するのみでよい。筺体１の背面１５に２つのねじ穴１６を上下に並べて形成し、スタンド２の支柱部２２に上下に長いスリット２２ａを形成する簡単な構成で、スタンド２が筺体１を上下逆に支持する機構を実現できる。
【００３２】
例えば、図示の表示装置は、第１側面１１を上側とし、第３側面１３を下側として筺体１をスタンド２に固定した場合（図１、図２及び図３（ａ）参照）、筺体１の表示面１０に向かって上側又は右側に（筺体１の背面１５から見て上側又は左側に）ドライブ装置３の着脱面３１を設けることができる。これに対して、筺体１を上下に反転してスタンド２に固定した場合（図３（ｂ）参照）、表示面１０に向かって下側又は左側に（背面１５から見て下側又は右側に）ドライブ装置３の着脱面３１を設けることができる。即ち、ドライブ装置３の回動による着脱面３１の位置変更と、スタンド２による筺体１の支持方向の上下反転とを組み合わせることによって、ユーザは筺体１の上下左右のいずれの側面であっても着脱面３１を設けることができる。
【００３３】
次に、筺体１内にて回動可能にドライブ装置３を搭載する機構について説明する。図４は、本発明に係る表示装置の構成を示す二面図であり、（ａ）に上側面視を示し、（ｂ）に背面視を示してある。同様に、図５は、本発明に係る表示装置の構成を示す二面図であり、（ａ）に右側面視を示し、（ｂ）に背面視を示してある。なお、ドライブ装置３の着脱面３１が第１側面１１に設けられた状態（図１に対応する）を図４に示し、第２側面１２に設けられた状態（図２に対応する）を図５に示してある。
図６は、本発明に係る表示装置の構成を示す拡大背面図であり、表示装置の筺体１におけるドライブ装置３の搭載位置周辺を拡大して図示したものである。なお、図６においては、ドライブ装置３が回動中の状態を示してある。また、図７は、本発明に係る表示装置の構成を示す拡大斜視図であり、図６と同様に表示装置の筺体１におけるドライブ装置３の搭載位置周辺を拡大して図示したものである。なお、図７においては、（ａ）にドライブ装置３の着脱面３１が第１側面１１に設けられた状態を示し、（ｂ）にドライブ装置３が回動中の状態を示してある。また、図８は、本発明に係る表示装置の内部構成を示す模式図であり、筺体１の背面視における透視図を示してある。
図９は、本発明に係る表示装置の構成を示す断面図であり、ドライブ装置３の回動の中心を通り、且つ、ドライブ装置３の着脱面３１に平行な平面による表示装置の断面を図示してある。
【００３４】
本発明に係る表示装置の筺体１には、第１側面１１、第２側面１２及び背面１５が隣り合う角部分に、これら３つの面に亘る開口５０が形成されている。換言すれば、開口５０は、略長方形をなす第１側面１１の角部分に形成された略長方形の切欠部５０ａと、略長方形をなす第２側面１２の角部分に形成された切欠部５０ｂと、略長方形をなす背面１５の角部分に形成された略正方形の切欠部５０ｃとが連なって構成されている。なお、第１側面１１の切欠部５０ａ及び第２側面１２の５０ｂは略同じ形状である。
【００３５】
ドライブ装置３は、扁平な略直方体形をなしており、着脱面３１、背面３２、側面３３、正面（被支持面３４）、側面３５及び端子面３６の６つの面を有して構成されている。着脱口３１ａを有する着脱面３１は、開口５０の切欠部５０ａ又は５０ｂより若干小さい略長方形をなしている。端子面３６は、着脱面３１の反対面であり、表示装置の制御回路などが設けられた回路基板９２との間で電気信号の送受信を行うケーブル９１を接続するための端子３６ａが設けられている。背面３２及び被支持面３４は、ドライブ装置３の６つの面のうち最も大きな面であり、略長方形をなし、着脱面３１及び端子面３６にそれぞれ隣り合っている。背面３２及び被支持面３４の短辺は、着脱面３１及び端子面３６の長辺に等しく、また、背面３２及び被支持面３４の長辺は、開口５０の切欠部５０ｃの一辺より長い。側面３３及び３５は、略長方形をなし、着脱面３１及び端子面３６と背面３２及び被支持面３４とにそれぞれ隣り合っている。側面３３及び３５の短辺は着脱面３１及び端子面３６の短辺に等しく、長辺は背面３２及び被支持面３４の長辺に等しい。
【００３６】
ドライブ装置３が筺体１内に搭載された場合、ドライブ装置３の着脱面３１は筺体１に形成された開口５０の切欠部５０ａ又は５０ｂから露出し、背面３２の一部（又は全部であってもよい）は開口５０の切欠部５０ｃから露出し、ドライブ装置３の回動位置に応じて側面３３又は３５が切欠部５０ａ又は５０ｂから露出する。ドライブ装置３の被支持面３４は開口５０から外部へ露出せず、ドライブ装置３は、被支持面３４にて、筺体１の正面寄りに配された金属シャーシなどのベース部４９に、回動支持部７０により回動可能に支持される。端子面３６は開口５０から外部へ露出しない。
【００３７】
回動支持部７０は、円筒状をなす軸部材７１を有している。軸部材７１は、一端に形成された鍔状部分がベース部４９に当接した状態で、複数のねじ７７にてベース部４９に不動に固定されている。また、回動支持部７０は一端側の開口が他端側より小さい円筒状の筒部材７２を有している。筒部材７２は、一端側の開口にて軸部材７１に外嵌し、他端側に形成された鍔状部分がドライブ装置３の被支持面３４に当接した状態で、複数のねじ７８にてドライブ装置３に不動に固定されている。また、回動支持部７０は、軸部材７１の他端側の外径より大きく、筒部材７２の他端側の外径より小さい円板状の固定部材７３を有している。固定部材７３は、軸部材７１に外嵌した筒部材７２が外れることを防止するため、軸部材７１の他端にねじ７６にて固定される。
【００３８】
また、回動支持部７０は、波状に曲げられた円環形のウェーブワッシャー７５を有している。ウェーブワッシャー７５は、軸部材７１に外嵌した筒部材７２の一端側の内面と、軸部材７１に固定された固定部材７３との間に介装され、軸部材７１の軸方向の一端側（図９において下側）へ筒部材７２を付勢する。また、回動支持部７０は、軸部材７１に外嵌するコイルバネ７４を有している。コイルバネ７４は、軸部材７１の鍔状部分と、軸部材７１に外嵌した筒部材７２の一端面との間に介装され、軸部材７１の軸方向の他端側（図９において上側）へ筒部材７２を付勢する。よって、筒部材７２は、コイルバネ７４及びウェーブワッシャー７５に挟持され、軸部材７１の軸方向について両側へ付勢された状態で、軸部材７１を中心に回動することができる。
【００３９】
筺体１のベース部４９に回動支持部７０を介して支持されたドライブ装置３は、回動支持部７０の軸部材７１を中心として、筺体１の表示面１０及び背面１５に略平行に、略９０°の範囲内で回動させることができる。なお、図４〜図６、図８にはドライブ装置３の回動の中心に「＋」の印を付してあるが、回動の中心は筺体１の第１側面１１及び第２側面１２からそれぞれ等しい距離（図８の矢印Ｂで示す距離）である。更に、ドライブ装置３においては、着脱面３１から回動の中心までの距離が、第１側面１１及び第２側面１２から回動の中心までの距離と等しい。なお、開口５０の切欠部５０ｃの一辺の長さ（図８の矢印Ａで示す長さ）は、第１側面１１及び第２側面１２から回動の中心までの距離の２倍より、筺体１の厚み分だけ長い。
【００４０】
よって、例えばドライブ装置３を着脱面３１が筺体１の第１側面１１に露出する位置へ回動させた場合（図４参照）、着脱面３１及び第１側面１１が連続する平面となる。このとき、ドライブ装置３は、側面３３が筺体１の内面に当接し、第２側面１２側への回動のみが可能となる。また例えば、ドライブ装置３を着脱面３１が筺体１の第２側面１２に露出する位置へ回動させた場合（図５参照）、着脱面３１及び第２側面１２が連続する平面となる。このとき、ドライブ装置３は、側面３５が筺体１の内面に当接し、第１側面１１側への回動のみが可能となる。
【００４１】
即ち、ドライブ装置３は、着脱面３１が第１側面１１に露出して連続する平面となる位置と、着脱面３１が第２側面１２に露出して連続する平面となる位置との間で、略９０°の範囲内で回動させることができる。これによりユーザは、表示装置の設置環境などに応じて、筺体１の第１側面１１又は第２側面１２のいずれかに、ドライブ装置３の着脱面３１を設けることができる。また、ドライブ装置３の背面３２には、筺体１の開口５０から露出する部分に、突起部３７が設けてあり、ユーザがドライブ装置３の回動を行う際に突起部３７を操作用のつまみとして利用することができるようにしてある。
【００４２】
カバー４０は、略正方形をなす背面板部４１の一辺に、略長方形をなす側面板部４２が略垂直に設けられた構成であり、側面視で略Ｌ字形をなしている。カバー４０は、筺体１に形成された開口５０に装着することができ、装着により筺体１の一部を構成する。即ち、カバー４０の背面板部４１は、筺体１に形成された開口５０の切欠部５０ｃと略同じ大きさ及び形状（一辺の長さがＡ（図６及び図８の矢印参照）の正方形）であり、カバー４０を筺体１に装着することによって背面板部４１が切欠部５０ｃを塞ぎ、背面板部４１は筺体１の背面１５の一部を構成する。これにより、筺体１の開口５０から露出するドライブ装置３の背面３２がカバー４０の背面板部４１により覆い隠される。また、カバー４０の側面板部４２は、筺体１に形成された開口５０の切欠部５０ａ又は５０ｂと略同じ大きさ及び形状であり、カバー４０を筺体１に装着することによって側面板部４２が切欠部５０ａ又は５０ｂを塞ぎ、側面板部４２は筺体１の第１側面１１又は第２側面１２の一部を構成する。これにより、筺体１の開口５０から露出するドライブ装置３の側面３３又は３５がカバー４０の側面板部４２により覆い隠される。
【００４３】
開口５０の切欠部５０ｃには、カバー４０を筺体１に装着する際に背面板部４１を支持する舌片状のカバー受け部５１が縁部分に複数設けられている。カバー４０は、側面板部４２が設けられた辺の反対辺から舌片状に延出して設けられた係合爪部４３を有しており、筺体１の内面には、切欠部５０ｃの縁近傍に突起部５２が形成されている。また、ドライブ装置３の側面３３及び３５には、複数の凹部３３ａ及び３５ａがそれぞれ形成してあり、カバー４０の側面板部４２には、カバー４０が装着された場合にドライブ装置３の側面３３又は３５に対向する位置に、凹部３３ａ及び３５ａに係合する複数の凸部４５が形成されている。
【００４４】
これらにより、カバー４０の係合爪部４３を開口５０から筺体１内部へ挿入して突起部５２に係合させると共に、カバー４０の凸部４５をドライブ装置３の凹部３３ａ又は３５ａに係合させることによって、カバー４０はカバー受け部５１に支持された状態が維持され、カバー４０の筺体１への装着を行うことができる。また、カバー４０の背面板部４１には、係合爪部４３が演出する位置近傍に、複数の凹凸が並設された滑り止め部４４が形成されている。滑り止め部４４を押圧して背面板部４１を撓ませることによって係合爪４３及び突起部５２の係合を解除することができ、係合爪部４３の挿入方向の反対方向へカバー４０をスライドさせることによって、カバー４０を取り外すことができる。
【００４５】
また、開口５０の切欠部５０ｃは略正方形であり、カバー４０の背面板部４１は略正方形であると共に、開口５０の切欠部５０ａ及び５０ｂとカバー４０の側面板部４２とは略同じ大きさ及び形状である。このため、カバー４０は、側面板部４２が切欠部５０ａを塞ぐ場合と、側面板部４２が切欠部５０ｂを塞ぐ場合との２通りの方法で筺体１に装着することができる（図６参照）。なお、カバー４０の係合爪部４３に係合する筺体１内面の突起部５２は、カバー４０の装着の向きに応じた２つの位置にそれぞれ形成されている。
【００４６】
よって、着脱面３１が筺体１の第１側面１１に露出する位置にドライブ装置３が回動された場合には、筺体１の開口５０からドライブ装置３の背面３２及び側面３３が露出するが、カバー４０を筺体１に装着することによってドライブ装置３の背面３２及び側面３３を覆い隠すことができ、着脱面３１のみを露出させることができる（図４参照）。また、着脱面３１が筺体１の第２側面１２に露出する位置にドライブ装置３が回動された場合には、筺体１の開口５０からドライブ装置３の背面３２及び側面３５が露出するが、カバー４０を筺体１に装着することによってドライブ装置３の背面３２及び側面３５を覆い隠すことができ、着脱面３１のみを露出させることができる（図５参照）。
【００４７】
ドライブ装置３は、ケーブル９１を介して表示装置の回路基板９２に接続されている。ケーブル９１は、一端がドライブ装置３の端子面３６に設けられた端子３６ａに接続され、他端が回路基板９２の端子に接続される。上述のようにドライブ装置３は回動させることが可能であるため、ケーブル９１は可撓性を有するものであると共に、ドライブ装置３の回動範囲内で十分にドライブ装置３及び回路基板９２を接続することができる長さとしてある。また、筺体１内には、円柱状のケーブル押さえ部９３が、中心軸を筺体１の正背方向に向けて設けてあり、ドライブ装置３の回動に伴うケーブル９１の移動を制限している（図８参照）。
【００４８】
また、本発明に係る表示装置は、着脱面３１の位置を変更するとき以外のときにおいて、ドライブ装置３の回動を係止する手段と、係止を解除する手段とを備えている。図１０は、ドライブ装置３の回動係止を説明するための模式図であり、表示装置の背面視をドライブ装置近傍について拡大して図示したものである。また、図１１は、ドライブ装置３の回動係止の解除を説明するための模式図であり、表示装置の側断面を図示してある。なお、図１１においては、（ａ）にドライブ装置３の回動が係止された状態を示し、（ｂ）に係止が解除された状態を示してある。
【００４９】
表示装置の筺体１には、背面１５の２ヶ所に、背面視で略正方形をなす係止解除ボタン５５がそれぞれ配設されている。係止解除ボタン５５は、ドライブ装置３の回動の係止を解除するためにユーザが押圧操作するためのものである。一方の係止解除ボタン５５は、背面１５において第１側面１１寄りの位置に配設され、且つ、第２側面１２からドライブ装置３の背面３２の長辺の長さ程度離れた位置に配設されている。他方の係止解除ボタン５５は、背面１５において第２側面１２寄りの位置に配設され、且つ、第１側面１１からドライブ装置３の背面３２の長辺の長さ程度離れた位置に配設されている。即ち、２つの係止解除ボタン５５は、筺体１の背面１５の対角線を中心として対称の位置に配設されている。
【００５０】
係止解除ボタン５５は、略正方形の板体の一方の面に円柱状の棒が突設された構造であり、この棒部分が筺体１の背面１５に形成された貫通孔に挿通されている。係止解除ボタン５５は、筺体１の貫通孔に沿って移動させることができ、棒部分の先端近傍には抜け落ち防止のためのストッパー５６が装着してある。ストッパー５６は、例えばリング状の金具である。
【００５１】
ドライブ装置３の端子面３６には、長手方向の両端近傍に凹部３６ｂがそれぞれ形成されている。また、筺体１内に設けられたベース部４９には、係止解除ボタン５５の配設位置に対応する２ヶ所に、ドライブ装置３の凹部３６ｂに係合する凸部６１を有する係止部６０がそれぞれ配設されている。係止部６０は、略長方形をなす金属製の板を折り曲げた態様の板ばね６２を有しており、折り曲げにより第１部分６２ａ、第２部分６２ｂ及び第３部分６２ｃに分けられている。
【００５２】
板ばね６２の第１部分６２ａは、ベース部４９に接着、溶着又はねじ止め等の手段によって固定される。第２部分６２ｂは、第１部分６２ａに対して略垂直に折り曲げられ、半球状の凸部６１が設けられており、第２部分６２ｂがドライブ装置３の端子面３６に対向するように、板ばね６２がベース部４９の適所に固定されている。第３部分６２ｃは、第２部分６２ｂに対して略４５°程度折り曲げられ、係止解除ボタン５５の棒部分の先端に当接するように設けられている。係止解除ボタン５５は、板ばね６２によって筺体１の外側方向へ付勢されている。
【００５３】
例えば、着脱面３１が第２側面１２に露出して連続する平面となる位置にドライブ装置３が回動された場合（図１０の実線、及び図１１参照）、第１側面１１寄りに配された係止部６０の板ばね６２及び凸部６１が、ドライブ装置３の端子面３６及び凹部３６ｂに対向する。板ばね６２に配された凸部６１は、ドライブ装置３の端子面３６に向けて板ばね６２により付勢されており、凸部６１がドライブ装置３の凹部３６ｂに挿入されることによって、ドライブ装置３が回動不能に係止される（図１１（ａ）参照）。
【００５４】
係止部６０によるドライブ装置３の回動係止を解除する場合には、係止解除ボタン５５を押圧操作すればよい。押圧操作された係止解除ボタン５５は、筺体１内に配された板ばね６２の第３部分６２ｃを付勢に抗して屈曲させる。これにより板ばね６２の第２部分６２ｂがドライブ装置３の端子面３６から離隔し、第２部分６２ｂに設けられた凸部６１がドライブ装置３の凹部３６ｂから脱出し、ドライブ装置３の係止が解除される（図１１（ｂ）参照）。
【００５５】
よって、表示装置に搭載されたドライブ装置３の着脱面３１の位置を変更する場合、まずユーザは筺体１からカバー４０を外す。このとき、カバー４０の背面板部４１に形成された滑り止め部４４を押圧して、カバー４０の係合爪部４３及び筺体１内面の突起部５２の係合を解除し、カバー４０をスライドさせることによって、ユーザはカバー４０を筺体１から外すことができる。
【００５６】
次いでユーザは、係止解除ボタン５５を押圧操作してドライブ装置３の係止を解除すると共に、ドライブ装置３の背面３２に設けられた突起部３７を利用して、ドライブ装置３を回動させる。これによりドライブ装置３の着脱面３１の位置を、筺体１の第１側面１１から第２側面１２へ、又はその反対へ移動させることができる。ドライブ装置３を回動させた後、ユーザはドライブ装置３の端子面３６に形成された凹部３６ｂと、係止部６０の凸部６１とを係合させることによって、ドライブ装置３を回動不可能に係止する。次いでユーザは、筺体１にカバー４０を装着し、ドライブ装置３の位置変更を完了する。
【００５７】
以上の構成の表示装置においては、着脱面３１が表示装置の筺体１の第１側面１１に露出する位置と、着脱面３１が第２側面１２に露出する位置との間で、ドライブ装置３を回動支持部７０が回動可能に支持すると共に、回動支持部７０による回動の中心を第１側面１１及び第２側面１２から等しい距離（図８の距離Ｂ）に設ける構成とすることにより、着脱面３１の位置を変更した場合であっても、ドライブ装置３が筺体１の第１側面１１及び第２側面１２に対して突出又は没入することがない。よって、筺体１の美観を損なうことなく、ドライブ装置３の利用に係る利便性の高い表示装置が実現できる。また、ドライブ装置３を回動する操作のみでよく、ユーザに複雑な操作を要求することがないため、ユーザはドライブ装置３の着脱面の位置変更を容易に行うことができる。
【００５８】
また、ドライブ装置３の着脱面３１から回動支持部７０による回動の中心までの距離を、上記の第１側面１１及び第２側面１２から回動の中心までの距離Ｂに等しくすることによって、着脱面３１とこれが露出する第１側面１１又は第２側面１２とを連続する平面とすることができるため、表示装置の筺体１の美観をより高めることができる。
【００５９】
また、筺体１の第１側面１１、第２側面１２及び背面１５の３面に亘って、ドライブ装置３を露出させる開口５０を形成すると共に、開口５０に装着するカバー４０を表示装置が備える構成とすることにより、開口５０から露出するドライブ装置３の背面３２に設けられた突起部３７をつまみとしてユーザがドライブ装置３の回動操作を行うことができ、また、回動後にカバー４０を装着して、筺体１からドライブ装置３が露出することによる美観の低下を防止し、開口５０から筺体１内に塵埃などが浸入することを防止できる。
【００６０】
また、筺体１に対するカバー４０の装着を２方向に行うことができる構成とすることで、着脱面３１が第１側面１１に露出する位置にドライブ装置３を回動させた場合には、第２側面１２及び背面１５に露出するドライブ装置３の側面３３及び背面３２を覆い隠すようにカバー４０を筺体１に装着し、着脱面３１が第２側面１２に露出する位置にドライブ装置３を回動させた場合には、第１側面１１及び背面１５に露出するドライブ装置３の側面３５及び背面３２を覆い隠すようにカバー４０を装着することができる。これにより、ドライブ装置３がいずれの位置に回動された場合であっても、同一のカバー４０を筺体１に装着して開口５０から露出するドライブ装置を覆い隠すことができる。
【００６１】
また、筺体１内にて回動支持部７０により回動可能に支持されたドライブ装置３を係止する係止部６０を備える構成とすることにより、ユーザがドライブ装置３の位置を変更するとき以外の場合において、ドライブ装置３が不要に回動することを防止できる。係止部６０として板ばね６２に凸部６１を設けると共に、ドライブ装置３の端子面３６に凹部３６ｂを形成し、板ばね６２によって凸部６１を凹部３６ｂへ付勢して係合させる構成とすることにより、ドライブ装置３の回動を容易に係止することができる。また、筺体１の背面１５に係止解除ボタン５５を配設し、ユーザが係止解除ボタン５５に対する押圧操作を行うことによって、係止解除ボタン５５の棒部分が筺体１内に没入し、係止部６０の板ばね６２を変形させて凸部６１及び凹部３６ｂの係合を解除する構成とすることにより、ドライブ装置３を回動させる場合にはユーザが係止部６０による係止を容易に解除することができる。
【００６２】
また、ドライブ装置３を回動可能に支持する回動支持部７０は、筺体１に不動に設けられたベース部４９に固定された軸部材７１と、ドライブ装置３に固定されて軸部材７１に外嵌する筒部材７２とを有し、筒部材７２がコイルバネ７４及びウェーブワッシャー７５によって軸方向の両方向にそれぞれ付勢される構成とすることにより、筒部材７２が軸部材７１から外れるなどの虞がなく、ユーザがディスク装置３の回動操作を行いやすく、また、軸方向に関する振動及び衝撃等をコイルバネ７４及びウェーブワッシャー７５にて吸収することができる。
【００６３】
また、スタンド２が筺体１を上下逆に支持することができる構成とすることによって、ドライブ装置３の回動による着脱面３１の位置変更と、スタンド２による筺体１の支持方向の変更とを組み合わせることにより、ユーザは筺体１の上下左右の４つの位置に着脱面３１を配することができる。
【００６４】
なお、本実施の形態においては、筺体１に搭載するドライブ装置３は、ＤＶＤなどの光ディスク１００を装着する装置としたが、これに限るものではなく、メモリカード又はフレキシブルディスク等のその他の記録媒体を装着するドライブ装置であってもよい。また、ドライブ装置３は、着脱面３１に光ディスク１００を着脱する着脱口３１ａを有する構成としたが、これに限るものではなく、着脱面３１に光ディスク１００を着脱するトレイを出入するための出入口を有するなど、その他の構成であってもよい。また、表示装置の筺体１及びドライブ装置３の形状は略直方体形としたが、これに限るものではなく、その他の形状であってもよい。筺体１及びドライブ装置３の角部分などが面取りされて丸められた形状であってもよい。
【００６５】
また、ドライブ装置３が略９０°の範囲で回動可能な構成としたが、これに限るものではなく、例えば略１８０°の範囲で回動可能とし、筺体の第２側面１２又は第４側面１４のいずれかに着脱面３１を露出させることができる構成とするなど、その他の構成であってもよい。また、筺体１の開口５０を第１側面１１、第２側面１２及び背面１５に亘って形成する構成としたが、これに限るものではなく、少なくとも着脱面３１を露出させる第１側面１１及び第２側面１２に亘って開口を形成すればよく、背面１５には開口が形成されない構成であってもよい。
【００６６】
また、ドライブ装置３を回動可能に支持する回動支持部７０の構成は一例であって、これに限るものではなく、少なくともドライブ装置３を一の中心で回動可能に筺体１内に搭載できる構成であればよい。また、ドライブ装置３に固定される筒部材７２をコイルバネ７４及びウェーブワッシャー７５によって軸方向の両方向にそれぞれ付勢する構成としたが、これに限るものではなく、回動支持部７０がコイルバネ７４又はウェーブワッシャー７５を備えず、付勢を行わない構成としてもよい。
【００６７】
また、ドライブ装置３を回動不能に係止する係止部６０の構成は一例であって、これに限るものではなく、例えば、ドライブ装置３の端子面３６に凸部を形成し、係止部６０の板ばね６２に凸部を形成するなど、その他の構成であってもよく、少なくともドライブ装置３を回動の２ヶ所で係止することができる構成であればよい。また、係止部６０によるドライブ装置３の係止を係止解除ボタン５５にて解除する構成としたが、これに限るものではなく、その他の構成であってよい。更には、表示装置が係止部６０及び係止解除ボタン５５等を備えずに、ドライブ装置３の回動の係止をカバー４０の装着によってのみ行う構成とすることもできる。
【００６８】
また、筺体１及びスタンド２を２つのねじ２３を用いて固定する構成としたが、これに限るものではなく、１つ又は３つ以上のねじを用いて固定する構成であってもよく、ねじ以外の部材を用いて固定する構成であってよく、例えばスタンド２が筺体１を回動可能に支持する構成としてもよい。また、スタンド２に形成したスリット２２ａを通してねじ２３を筺体１のねじ穴１６に螺合させる構成としたが、これに限るものではなく、例えばスリット２２ａに代えて貫通孔をスタンドに形成するなど、その他の構成であってもよい。
【００６９】
また、表示装置の筺体１にドライブ装置３を搭載する構成としたが、これに限るものではなく、例えばパーソナルコンピュータ又はＤＶＤレコーダ等の表示装置以外の装置の筺体にドライブ装置を搭載する場合であっても、同様の搭載機構を適用することができる。
【図面の簡単な説明】
【００７０】
【図１】本発明に係る表示装置の構成を示す正面斜視図である。
【図２】本発明に係る表示装置の構成を示す正面斜視図である。
【図３】本発明に係る表示装置の構成を示す背面斜視図である。
【図４】本発明に係る表示装置の構成を示す二面図である。
【図５】本発明に係る表示装置の構成を示す二面図である。
【図６】本発明に係る表示装置の構成を示す拡大背面図である。
【図７】本発明に係る表示装置の構成を示す拡大斜視図である。
【図８】本発明に係る表示装置の内部構成を示す模式図である。
【図９】本発明に係る表示装置の構成を示す断面図である。
【図１０】ドライブ装置の回動係止を説明するための模式図である。
【図１１】ドライブ装置の回動係止の解除を説明するための模式図である。
【符号の説明】
【００７１】
１  筺体
２  スタンド（支持部材）
３  ドライブ装置
１０  表示面
１０ａ  表示部
１１  第１側面（一の面）
１２  第２側面（他の面）
１３  第３側面
１４  第４側面
１５  背面（反対面）
１６  ねじ穴
２１  ベース部
２２  支柱部
２３  ねじ
３１  着脱面
３１ａ  着脱口
３２  背面
３３  側面
３４  被支持面
３５  側面
３６  端子面
３６ａ  端子
３６ｂ  凹部
３７  突起部
４０  カバー（カバー部材）
４１  背面板部
４２  側面板部
４３  係合爪部
４４  滑り止め部
４５  凸部
４９  ベース部
５０  開口
５０ａ、５０ｂ、５０ｃ  切欠部
５１  カバー受け部
５２  突起部
５５  係止解除ボタン（解除操作部）
６０  係止部
６１  凸部
６２  板ばね
７０  回動支持部
７１  軸部材
７２  筒部材
７３  固定部材
７４  コイルバネ（第１付勢部材）
７５  ウェーブワッシャー（第２付勢部材）
７６〜７８  ねじ
９１  ケーブル
９２  回路基板
９３  ケーブル押さえ部
１００  光ディスク（記録媒体）
【図１】
2009295249.tif 000003
【図２】
2009295249.tif 000004
【図３】
2009295249.tif 000005
【図４】
2009295249.tif 000006
【図５】
2009295249.tif 000007
【図６】
2009295249.tif 000008
【図７】
2009295249.tif 000009
【図８】
2009295249.tif 000010
【図９】
2009295249.tif 000011
【図１０】
2009295249.tif 000012
【図１１】
2009295249.tif 000013